(57)【特許請求の範囲】
【請求項１】
中心にテンションメンバを有し、外側面に複数の光ファイバ収納用溝を有するスロットロッドを備えたスロット型光ケーブルの端部を固定するに際して、
前記光ケーブルのスロットロッド端部のすべての光ファイバ収納用溝中に、クランプ部材の幅と同程度かそれ以上の長さのスペーサを隙間のない状態で挿入し、
前記スペーサを挿入したスロットロッドの上から当該スロットロッドごと前記テンションメンバをクランプして固定することを特徴とする、光ケーブル端部の固定方法。
【請求項２】
クランプするクランプ部材の内面に突起があり、当該突起がスロットロッド及びスペーサに食い込むようになっていることを特徴とする、請求項１記載の光ケーブル端部の固定方法。
【請求項３】
複数のスペーサのそれぞれの一端に共通のキャップが設けられたことを特徴とする請求項１又は２記載の光ケーブル端部の固定方法。
【発明の詳細な説明】
【０００１】
【発明の属する技術分野】
本発明は、スロット型光ケーブルの、主として接続部を保護するクロージャ等の防水ケース内における、テンションメンバを含んだ端部の固定方法に関するものである。
しかし、その他の、たとえばスロット型光ケーブルを牽引する際におけるテンションメンバを含んだ端部の固定にも利用可能である。
【０００２】
【従来の技術】
図３に、クロージャ１０内におけるスロット型光ケーブル２０のテンションメンバ２４の固定状態を模型的に示す。
また、光ケーブル２０の拡大断面も、同時に示した。
２２はスロットロッドで、中心にテンションメンバ２４を有し、また外側面にらせん状又はＳＺ状の溝２６を有する。
２８はテープ状の光ファイバ心線、２８０は光ファイバ、２８２はその融着あるいはＭＴコネクタなどよりなる接続部、３０はシースである。
【０００３】
従来、テンションメンバ２４を固定する場合は、次のようにしていた。
まず、光ケーブル２０の端部のスロットロッド２２を少しはぎとって鋼線よりなるテンションメンバ２４を露出させる。
そして、そのテンションメンバ２４を、たとえばクロージャ１０のスリーブ１２間に掛け渡してあるステー１４に、クランプ金具４０で固定する。
【０００４】
このクランプ金具４０の部分を拡大して図４，図５に示した。
図４のクランプ金具４０は、コの字金具４００とネジ４０２とからなり、ステー１４にテンションメンバ２４を接触させておき、コの字金具４００を被せネジ４０２で締めて固定する。
図５のクランプ金具４０は、ステー１４に固定された円筒金具４０４とネジ４０２とからなり、円筒金具４０４にテンションメンバ２４を通し、ネジ４０２で締めて固定する。
【０００５】
【発明が解決しようとする課題】
しかし、上記の従来の方法は、スロットロッド２２のはぎ取りに時間がかかり、特に、ケーブルが大径化するにつれ、スロットロッドの除去に時間を要した。
また油断していると光ファイバを傷つける恐れもあった。
【０００６】
この発明は、下記の手段をとることにより、スロットロッド２２をはぎ取らずにテンションメンバ２４を固定できるようにしたものである。
【０００７】
【課題を解決するための手段】
図１に例示するように、
▲１▼スロットロッド２２端部の溝２６中に、スペーサ５０を隙間のない状態で挿入し、
▲２▼スペーサ５０を挿入したスロットロッド２２の上から、スロットロッド２２ごと、半割りリング状のクランプ部材５４によりテンションメン２４をクランプして固定する。スペーサの数は溝２６の数と同数が好ましい。
【０００８】
なお、クランプ部材５４の内面に三角形状等の各種形状を呈する突起５４２を設け、その突起がスロットロッド２２及びスペーサ５０に食い込むようにすると、より確実に固定できる。
【０００９】
【発明の実施態様】
スペーサ５０は、溝２６にピッタリとはまりこむ形状・大きさにする。
スペーサ５０を挿入するのは、スロットロッド２２の端部の僅かな範囲、すなわちクランプ部材５４の幅と同程度かそれより僅かに長い程度でもよい。
【００１０】
クランプ部材５４の内面の突起５４２は、本発明の必須要件でないが、
突起５４２のある方が、突起の先端がスペーサ等に食い込みクランプ力を強固にするので、たいへん好ましい。
突起５４２は、たとえば挟持部５４０の表面側からのパンチング等により形成される程度のものでよい。
【００１１】
始めに述べたように、テンションメンバ２４をクロージャ１０内でステー１４に固定する場合は、
クランプ部材５４の挟持部５４０のどちらか一方を、ステー１４に固定する（図１（ｆ）参照）。
あるいは、どちらか一方の挟持部５４０のフランジ５４４を延長して、延長部分自体がステー１４の役目をするようにしても良い。
【００１２】
［作  用］
もし仮に、溝２６の中にスペーサ５０を挿入しないままスロットロッド２２の上からクランプ部材５４でクランプしたとすると、ポリエチレン等のブラスチック製のスロットロッド２２の山部が潰れて谷部に倒れ込んで、クランプの締め付け力が落ち、ケーブル荷重を支えることができなくなる。
しかし、溝２６をスペーサ５０で埋めることにより、山部の倒れ込み変形の問題が解決され、クランプの緩みがなくなり、長期的に信頼性の高いクランプが可能になる。
【００１３】
【実施例１】
図１の（ａ）はスロットロッド２２の端部であり、光ファイバ心線２８は溝２６から外してある。
スペーサ５０は、たとえば突起５４２が食い込むことができる程度の比較的軟質の金属製とする。あるいはケーブルテンションによつては硬質ブラスチック製を用いることもできる。
スペーサ５０は、溝２６に隙間無く挿入できる少なくともクランプ部材の幅以上の長さを持った数本の短尺ものからなるが、図１（ｂ）のように一端に共通のキャップ５２を設けて、取り扱いを容易にした。
一般にスロットロッドの溝は螺旋状であるから、スペーサ５０は自身の長手方向に対して多少溝２６の曲がりに合わせて湾曲していることが好ましい。ただし図示されているように直線状でもよい。その長さは少なくともクランプ部材５４の幅よりも長いことが好ましい。
スペーサ５０をスロットロッド２２へ取り付けるには、まっすぐに挿入するかあるいは多少回転させながらはめ込むようにする。
なお、「隙間無」くという態様は、必ずしも完全に隙間がないということではなく、多少の隙間が生じていることを許容するものであり、締め付け時のスロットロッドの潰れがクランプ力に実質的に悪影響を及ぼさない程度に隙間が発生することを含むものである。
クランプ部材５４は、同図（ｃ）に示すように、短い半円筒状の挟持部５４０の両側にフランジ５４４を設けかつ内面に多数の突起５４２を形成した上下１対のものの間を、ボルト５４６により締め付けるようにしたものである。
なお下側のフランジ５４４は、同図（ｆ）のように、コの字方にしてあって、ステー１４に固定できるようにしている。
【００１４】
テンションメンバ２４の固定は、次のようにして行う。
従来のようにスロットロッド２２の端部のテンションメンバ２４を露出させることなく、端部の溝２６にスペーサ５０を挿入し、その上にクランプ部材５４をあてがい、ボルト５４６で締め付ける（図１（ｄ），（ｅ））。
これにより、テンションメンバ２４は、スロットロッド２２及びスペーサ５０を介してクランプ部材５４によりクランプされ、
結局テンションメンバ２４はステー１４（これにクランプ部材５４が固定されている）に固定される（図１（ｆ））。
【００１５】
【実施例２】
引っ張り端末に適用した場合である。
図２のように、クランプ部材５４として、挟持部５４０だけで（フランジ５４４が無い）かつ外側面の一部がテーパ状になっておりかつネジ５４８を有するものを用いる。
実施例１の場合同様に、スロットロッド２２の端部の溝２６にスペーサ５０を挿入し、その上からクランプ部材５４をあてがい、その上から、プーリングキャップ５６（先端部内面がテーパ状になっている）をねじ込み、テーパ面のクサビ作用を利用して、スロットロッド２２，スペーサ５０を介してテンションメンバ２４をクランプする。
そしてプーリングキャップ５６を牽引する。
【発明の効果】
テンションメンバ２４の固定に際してスロットロッド２２をはぎ取らないので、作業時間が短縮され、また光ファイバを傷つける心配もなくなる。
【図面の簡単な説明】
【図１】本発明実施例１の説明図で、（ａ）はスロットロッド２２の端部、（ｂ）はスペーサ５０、（ｃ）はクランプ部材５４、（ｄ）はクランプ完了時の縦断立面、（ｅ）は（ｄ）のＥ断面、（ｆ）は全体の斜視図である。
【図２】本発明実施例２の説明図で、（ａ）は縦断立面、（ｂ）は（ａ）のＢ断面である。
【図３】クロージャ１０内におけるテンションメンバ２４の従来の固定状況の概略説明図。
【図４】従来のテンションメンバ２４の固定方法の説明図。
【図５】従来のテンションメンバ２４の別の固定方法の説明図。
【符号の説明】
１０    クロージャ
１２    スリーブ
１４    ステー
２０    光ケーブル
２２    スロットロッド
２４    テンションメンバ
２６    溝
２８    光ファイバ心線
３０    シース
４０    クランプ金具
４００  コの字金具
４０２  ネジ
４０４  円筒金具
５０    スペーサ
５２    キャップ
５４    クランプ部材
５４０  挟持部
５４２  突起
５４４  フランジ
５４６  ボルト
５４８  ネジ
５６    プーリングキャップ
【図１】
0003587910.tif 000002
【図２】
0003587910.tif 000003
【図３】
0003587910.tif 000004
【図４】
0003587910.tif 000005
【図５】
0003587910.tif 000006